(57)【要約】      （修正有）【課題】防湿性の向上した表示装置および電子機器を提供する。【解決手段】表示層１３と、前記表示層１３の表示面に対向配置された表面膜１６と、前記表示層１３と前記表面膜１６との間に介在し、かつ前記表示層１３および前記表面膜１６の各端面からの張出部１５Ａを有する防湿膜１５とを備え、側面からの水分の前記表示層１３への浸入経路（沿面距離Ｄ１）が少なくとも前記張出部１５Ａの上面の分だけ長くする。これによって、前記防湿膜１５による前記表示層１３に対する防湿機能が高まり、信頼性が向上する。【選択図】図１
2013161023.tif 000002
【特許請求の範囲】
【請求項１】
表示層と、
前記表示層の表示面に対向配置された表面膜と、
前記表示層と前記表面膜との間に介在し、かつ前記表示層および前記表面膜の各端面からの張出部を有する防湿膜と
を備えた表示装置。
【請求項２】
前記表示層、前記防湿膜および前記表面膜の各端面を覆う封止部を有し、前記封止部は前記張出部の上下および端面を覆っている
請求項１に記載の表示装置。
【請求項３】
前記表面膜は、反射防止機能、防眩機能または外力に対する保護機能を有する
請求項１に記載の表示装置。
【請求項４】
前記防湿膜の透湿度は、０．０３ｇ／ｍ2／日以下である
請求項１に記載の表示装置。
【請求項５】
前記表示層は、発光層を含む有機層、発光層を含む無機層、液晶層および電気泳動型の表示体のうちのいずれか１つを含む
請求項１に記載の表示装置。
【請求項６】
前記表面膜の端面は前記表示層の端面と上下同一の位置、または前記表示層の端面よりも外側の位置である
請求項１に記載の表示装置。
【請求項７】
前記防湿膜と前記表面膜との間に、更に他の表面膜および防湿膜を交互に少なくとも１組備える
請求項１に記載の表示装置。
【請求項８】
表示装置を備え、
前記表示装置は、
表示層と、
前記表示層の表示面に対向配置された表面膜と、
前記表示層と前記表面膜との間に介在し、かつ前記表示層および前記表面膜の各端面からの張出部を有する防湿膜とを備えた
電子機器。
【発明の詳細な説明】
【技術分野】
【０００１】
本技術は、表示層に対して防湿膜を備えた表示装置、およびこの表示装置を備えた電子機器に関する。
【背景技術】
【０００２】
現在テレビジョンなどの平面表示装置として液晶表示装置が幅広く利用されているが、更に薄型化・低消費電力化の可能な表示装置、例えば、有機ＥＬ（Electroluminescence）表示装置等が注目されている。
【０００３】
このような近年積極的に開発が進められている表示装置では、例えば有機層により構成された表示層が水分により劣化しやすく、防湿機能が重要となる。このため、表示層を透湿度の低い防湿膜により保護して水分の浸入を防止する技術が提案されている（例えば、特許文献１参照）。
【先行技術文献】
【特許文献】
【０００４】
【特許文献１】特開２００９−３０１８１６号公報
【発明の概要】
【発明が解決しようとする課題】
【０００５】
しかしながら、上記のように防湿膜を単に表示層の上部に配置するのみでは、表示層に対する防湿機能を充分に発揮することはできず、信頼性に欠けるという問題があった。これは液晶表示装置など他の表示装置においても同様である。
【０００６】
本技術はかかる問題点に鑑みてなされたもので、その目的は、防湿性が高く、信頼性の向上した表示装置、およびこの表示装置を備えた電子機器を提供することにある。
【課題を解決するための手段】
【０００７】
本技術の表示装置は、表示層と、表示層の表示面に対向配置された表面膜と、表示層と表面膜との間に介在し、かつ表示層および表面膜の各端面からの張出部を有する防湿膜と、を備えたものである。
【０００８】
本技術の電子機器は、本技術の表示装置を備えたものである。
【０００９】
本技術の表示装置または電子機器では、表示層上に防湿膜が設けられると共に、この防湿膜に張出部が設けられているため、側面からの水分の表示層への浸入経路（沿面距離）が少なくとも張出部の上面の分だけ長くなる。
【発明の効果】
【００１０】
本技術の表示装置および電子機器によれば、表示層と表面膜との間に防湿膜を設けると共に、この防湿膜に表示層および表面膜からの張出部を設けるようにしたので、水分の表示層への浸入経路が長くなる。よって、防湿膜による表示層に対する防湿機能が高まり、信頼性が向上する。
【図面の簡単な説明】
【００１１】
【図１】本技術の一実施の形態に係る表示装置の構成を表す側断面図である。
【図２】図１に示した表示装置の構成を表す平面図である。
【図３】図１に示した表示装置の光学機能膜の配置の一例を表す側断面図である。
【図４】図１に示した表示装置の製造方法の一工程を表す側断面図である。
【図５】紫外線遮断機能を有する膜の波長と透過率との関係を表す図である。
【図６】比較例に係る表示装置の構成を表す側断面図である。
【図７】図１に示した表示装置の変形例の構成を表す側断面図である。
【図８】適用例１の外観を表す斜視図である。
【図９】適用例２の外観を表す斜視図である。
【図１０】（Ａ）は適用例３の表側から見た外観を表す斜視図、（Ｂ）は裏側から見た外観を表す斜視図である。
【図１１】適用例４の外観を表す斜視図である。
【図１２】適用例５の外観を表す斜視図である。
【図１３】（Ａ）は適用例６の開いた状態の正面図、（Ｂ）はその側面、（Ｃ）は閉じた状態の正面図、（Ｄ）は左側面図、（Ｅ）は右側面図、（Ｆ）は上面図、（Ｇ）は下面図である。
【発明を実施するための形態】
【００１２】
以下、本技術の実施の形態について、図面を参照して詳細に説明する。なお、説明は以
下の順序で行う。
１．実施の形態
張出部を有する防湿膜を備えた表示装置
２．変形例
複数の防湿膜を有する表示装置
３．適用例
【００１３】
＜実施の形態＞
[表示装置１の構成]
図１は本技術の一実施の形態に係る表示装置（表示装置１）の断面構成を表すものであり、図２は、その平面構成を表している。この表示装置１は例えば有機ＥＬ表示装置であり、基板１０上にバリア層１１，ＴＦＴ（Thin Film Transistor）層１２，表示層１３，透明基板１４，防湿膜１５および光学機能膜１６をこの順に有している。ＴＦＴ層１２から光学機能膜１６に至る積層部の側面は封止部１７により覆われている。なお、図１および図２は、表示装置１の構造を模式的に表したものであり、実際の寸法・形状とは異なる。
【００１４】
基板１０は、表示層１３等を支持するものであり、例えば、ガラス，石英，シリコン，ガリウム砒素等の無機材料あるいは、ポリイミド，ポリエチレンテレフタレート（ＰＥＴ），ポリエチレンナフタレート（ＰＥＮ），ポリメチルメタクリレート（ＰＭＭＡ），ポリカーボネート（ＰＣ），ポリエーテルスルホン（ＰＥＳ），ポリエチルエーテルケトン（ＰＥＥＫ），芳香族ポリエステル（液晶ポリマー）等のプラスチック材料等からなる。
この基板１０は、ウェハなどの剛性を有するものであってもよく、薄層ガラスやフィルムなど可撓性を有するものであってもよい。基板１０が可撓性を有するものであれば、折り曲げ可能な表示装置を実現できる。基板１０は、表示領域１０Ａを有しており、ＴＦＴ層１２，表示層１３および透明基板１４は、表示領域１０Ａに対応する領域に設けられている。
【００１５】
基板１０とＴＦＴ層１２との間にはバリア層１１が設けられている。バリア層１１は、表示層１３を水分や有機ガスによる劣化から防ぐものであり、例えばＡｌＯxＮ1-X（ただし、Ｘ＝０．０１〜０．２）または窒化シリコン（Ｓｉ3Ｎ4）により形成されている。
【００１６】
ＴＦＴ層１２は画素を選択するためのスイッチング用素子としての機能を有する。ＴＦＴ層１２は、チャネル層として無機半導体層を用いた無機ＴＦＴあるいは、有機半導体層を用いた有機ＴＦＴのどちらにより構成されていてもよい。
【００１７】
表示層１３は、画素電極１３１と共通電極１３３との間に表示体１３２を有している。画素電極１３１はＴＦＴ層１２、共通電極１３３は透明基板１４にそれぞれ接している。画素電極１３１は画素ごとに設けられており、例えばクロム（Ｃｒ），金（Ａｕ），白金（Ｐｔ），ニッケル（Ｎｉ），銅（Ｃｕ），タングステン（Ｗ）あるいは銀（Ａｇ）などの金属元素の単体または合金からなる。表示体１３２は、例えば発光層を含む有機層により構成されている。共通電極１３３は、透明基板１４の一面に亘り設けられており、例えば、酸化インジウム−酸化スズ（ＩＴＯ），酸化アンチモン−酸化スズ（ＡＴＯ），フッ素ドープ酸化スズ（ＦＴＯ）またはアルミニウムドープ酸化亜鉛（ＡＺＯ）等の透光性導電材料（透明電極材料）により構成されている。
【００１８】
本実施の形態では、透明基板１４側において画像が表示されるため、透明基板１４には光透過性の材料が用いられるが、この点を除き、基板１０と同様の材料を用いることができる。
【００１９】
防湿膜１５は、表示層１３への水分の浸入を防止するものであり、表示層１３と光学機能膜１６との間に介在している。透明基板１４と防湿膜１５とは、例えば感圧接着剤あるいは感熱接着剤等により接着されている。防湿膜１５は、例えばポリエチレンテレフタレート，ポリメタクリル酸メチル，ポリカーボネート，ポリエチレンナフタレート，ポリプロピレン，ナイロン−６，ナイロン−６６，ポリ塩化ビニリデン，ポリエーテルスルホン等により構成されている。防湿膜１５は防湿性、例えば０.１ｇ／ｍ2／日〜０．０００００１ｇ／ｍ2／日、好ましくは０．０３ｇ／ｍ2／日以下の透湿度を有し、かつ光透過性の高いものであることが好ましい。防湿膜１５の膜厚Ｔ（図１）は、例えば１０μｍ〜１００μｍであり、複数の膜からなる積層構造であってもよい。
【００２０】
本実施の形態では、この防湿膜１５は、表示層１３および後述の光学機能膜１６のそれぞれの端面よりも外側に張り出した領域（張出部１５Ａ）を有する。例えば、防湿膜１５のうち、光学機能膜１６と重なっている部分の長さを長さＬ1、張出部１５Ａの長さを長さＬ2とすると（図２）、例えば長さＬ1が１０ｃｍ〜３０ｃｍ、長さＬ2が１ｍｍ〜３ｍｍである。すなわち、防湿膜１５の１辺は、光学機能膜１６の１辺よりも２ｍｍ〜６ｍｍ大きくなっている。図２に示したように、防湿膜１５の全ての辺（４辺）において張出部１５Ａが形成されていることが好ましいが、いずれか１辺にのみ形成されていてもよい。
【００２１】
光学機能膜１６（表面膜）は、例えば外光の表示面への映り込みを防止するためのものであり、防湿膜１５を間にして表示層１３の表示面と対向するように配置されている。光学機能膜１６は防湿膜１５に接着剤（図示せず）を介して貼り合わされている。具体的には光学機能膜１６は反射防止機能あるいは防眩機能を有する。光学機能膜１６の端面は、ＴＦＴ層１２，表示層１３および透明基板１４の端面と上下に略同位置であるか（図１）、図３に示したように、ＴＦＴ層１２，表示層１３および透明基板１４の端面よりも外側（防湿膜１５の端面側）となっていてもよい。例えば光学機能膜１６が反射防止機能を有する場合、光学機能膜１６は屈折率の異なる複数の薄膜の積層体であり、これらの薄膜の界面で発生する反射光の干渉を利用して反射光を減衰する。また、例えば光学機能膜１６が防眩機能を有する場合、光学機能膜１６の表面には、塗料により凹凸面が形成されており、この凹凸面により外光を乱反射させる。なお、光学機能膜１６に代えて、表面膜として、ハードコート等の表示面を物理的な刺激（外力）から保護する膜を形成してもよい。
【００２２】
封止部１７は、基板１０（バリア層１１）上にＴＦＴ層１２，表示層１３，透明基板１４，防湿膜１５および光学機能膜１６の各端面を覆うように設けられている。換言すれば、ＴＦＴ層１２，表示層１３，透明基板１４，防湿膜１５および光学機能膜１６の周囲を囲むように封止部１７が設けられている。封止部１７は、表示装置１の端部を封止すると共に、側面からの水分の浸入を防止できるものが好ましい。防湿膜１５においては、その端面に加え、張出部１５Ａの上面および下面が封止部１７により覆われている。これにより、封止部１７が、防湿性のものであれば表示装置１の防湿性が更に高まる。封止部１７は、例えば熱または紫外線硬化性のアクリル系樹脂，メタクリル系樹脂あるいはエポキシ樹脂等により構成されている。
【００２３】
[表示装置１の製造方法]
この表示装置１は、例えば以下のようにして製造することができる。
【００２４】
まず、例えば、シリコンをターゲットとして用い、窒素ガスを導入しながら高周波スパッタリングを行うことにより、窒化シリコンからなるバリア層１１を、基板１０上に形成する。次いで、バリア層１１が形成された基板１０の面上に上述のＴＦＴ層１２を形成する。
【００２５】
ＴＦＴ層１２を形成した後、例えばクロム，金，白金，ニッケル，銅，タングステンあるいは銀からなる金属膜を基板１０の全面に形成し、これをパターニングすることにより、画素電極１３１を形成する。次いで、画素電極１３１上に、例えば蒸着法により有機層を成膜することにより表示体１３２を形成する。
【００２６】
続いて、この表示体１３２までが形成された基板１０に、共通電極１３３，防湿膜１５および光学機能膜１６を備えた透明基板１４を貼り合わせる。共通電極１３３は、例えばＩＴＯを透明基板１４の一方の面の全面に成膜して形成し、防湿膜１５および光学機能膜１６は、透明基板１４の他方の面に、接着剤を介して貼り合わせることにより形成しておく。このとき、防湿膜１５の全ての辺において、その端面が光学機能膜１６の端面よりも外側になるように貼り合わせる。防湿膜１５および光学機能膜１６は、共通電極１３３が形成された透明基板１４と基板１０とを貼り合わせた後、透明基板１４上に形成してもよい。
【００２７】
図４に示したように、透明基板１４と基板１０とを貼り合わせた際には、防湿膜１５により庇構造が形成されている。詳細には、防湿膜１５の端面が、ＴＦＴ層１２，表示層１３および透明基板１４の側面よりも外側に配置されているため、基板１０と防湿膜１５との間に間隙が存在している。透明基板１４と基板１０とを貼り合わせた後、この間隙に熱または紫外線硬化性の樹脂（硬化前樹脂１７ａ）を、例えばニードル２０により充填する。このとき、硬化前樹脂１７ａの毛管現象を利用することにより、間隙部分への塗布を容易に行うことができる。例えば、硬化前樹脂１７ａの粘度が１０（Ｐａ・ｓ）以下、好ましくは２（Ｐａ・ｓ）以下であれば毛管現象により、生産効率および封止効果を高めることができる。硬化前樹脂１７ａの粘度は、樹脂成分により調整可能であるが、シリンジ本体（図示せず）あるいはニードル２０を加熱することにより粘度を下げることも可能である。硬化前樹脂１７ａの量を調整し、防湿膜１５および光学機能膜１６の端面と、張出部１５Ａの上面および下面とにも、硬化前樹脂１７ａを塗布する。
【００２８】
防湿膜１５の表面のうち、硬化前樹脂１７ａと接触する部分には、予め、例えば酸素等のプラズマ処理を行っておくことが好ましい。防湿膜１５の濡れ性を向上させ、硬化前樹脂１７ａの塗布が容易となるためである。
【００２９】
硬化前樹脂１７ａを塗布した後、例えば熱または光の照射により硬化前樹脂１７ａの硬化を行い、封止部１７を形成する。光学機能膜１６に用いられる膜のなかには、紫外線遮断機能を有するものも多い。このような光学機能膜１６を用いた場合、防湿膜１５および光学機能膜１６の端面が揃っていると（例えば、後述の表示装置１００（図６））、照射した紫外光が、光学機能膜１６により遮断され、基板１０と防湿膜１５との間の間隙部分に充填された硬化前樹脂を十分に硬化させることができない。これに対し、表示装置１では、防湿膜１５が、光学機能膜１６と重ならない領域、すなわち張出部１５Ａを有するため、基板１０と防湿膜１５との間の間隙に充填された硬化前樹脂１７ａにも紫外光を十分に照射することができる。
【００３０】
また、例えば防湿膜１５が紫外線遮断機能を有する場合は、遮断される紫外線の波長範囲外の光により硬化可能な樹脂材料を用いて、封止部１７を形成すればよい。図５は、紫外線遮断機能を有する防湿膜１５における波長と光の透過率との関係の一例を示したものである。このような防湿膜１５を使用する場合は、３８０ｎｍより長波長の光（可視光）の照射により硬化可能な樹脂材料を用いればよい。なお、表示装置１の可撓性を保持するためには、封止部１７（硬化後樹脂）のヤング率が５００（ＭＰａ）以下であることが好ましく、１００（ＭＰａ）以下であることがより好ましい。以上により、図１および図２に示した表示装置１が完成する。
【００３１】
［表示装置１の作用・効果］
本実施の形態の表示装置１では、防湿膜１５に張出部１５Ａが設けられているため、防湿膜１５と封止部１７（外部）との沿面距離が長くなり、防湿性が高まる。以下、比較例を用いつつ張出部１５Ａによる防湿効果の向上について詳細に説明する。
【００３２】
図６に比較例として、防湿膜１５および光学機能膜１６の端面が上下同一位置に形成された表示装置１００の側断面図を示す。表示装置１００は、防湿膜１５および光学機能膜１６の端面はＴＦＴ層１２，表示層１３および透明基板１４の端面よりも長さＬ3だけ外側に配置されているが、防湿膜１５および光学機能膜１６の端面は揃っている。このように防湿膜１５に張出部１５Ａが存在しない場合、防湿膜１５における封止部１７との界面は、側面および下面の一部であり、その沿面距離Ｄ100は、防湿膜１５の膜厚Ｔに長さＬ3を加えた値となる。表示層１３は水分による劣化を受け易く、表示装置１００の側面から防湿膜１５と外部（封止部１７）との界面を伝って表示層１３に水分が浸入すると、表示装置１００の信頼性が低下する。防湿膜１５の沿面距離Ｄ100を長くすれば、表示層１３へ水分が浸入しにくくなり、表示装置１００の防湿性を高めることができるが、コストおよび非表示領域面積の増加につながるため、長さＬ3を大きくすることは難しい。
【００３３】
これに対し、本実施の形態の表示装置１では防湿膜１５が、張出部１５Ａを有しているため、防湿膜１５における封止部１７との界面は、張出部１５Ａの端面，上面および下面となる。すなわち、防湿膜１５における封止部１７との界面が、張出部１５Ａの上面の面積分広くなり、沿面距離Ｄ1は、沿面距離Ｄ100よりも長さＬ2分長くなる。よって、表示装置１の防湿性が高まる。
【００３４】
以上のように本実施の形態の表示装置１では、防湿膜１５に張出部１５Ａを設けるようにしたので、防湿膜１５と外部（封止部１７）との界面を広くし、沿面距離を延ばすことができる。よって、表示装置１の防湿性を高め、信頼性を向上させることができる。
【００３５】
また、防湿膜１５における張出部１５Ａの端面、上面および下面を覆うように封止部１７を設けることにより、防湿性を更に高めることができる。
【００３６】
＜変形例＞
図７は変形例に係る表示装置１Ａの断面構成を表したものである。この表示装置１Ａは、防湿膜１５と光学機能膜１６との間に、更に他の光学機能膜１６ｂおよび防湿膜１５ｂを１組備えたものである。その点を除き、表示装置１Ａは上記実施の形態の表示装置１と同様の構成を有し、その作用および効果も同様である。
【００３７】
表示装置１Ａは、表示層１３側から防湿膜１５，光学機能膜１６ｂ，防湿膜１５ｂ，光学機能膜１６のように防湿膜と光学機能膜が交互に配置されており、防湿膜１５，１５ｂは、それぞれ張出部１５Ａを有している。防湿膜１５，１５ｂの張出部１５Ａは上下に重なる領域であってもよく、ずれるようにそれぞれ形成されていてもよい。表示装置１Ａでは、防湿膜１５に加え、防湿膜１５ｂが張出部１５Ａを有しているため、防湿膜１５，１５ｂと封止部１７との沿面距離Ｄ1が、更に長くなり、より防湿性が高まる。防湿膜１５ｂおよび光学機能膜１６ｂを２組以上備えていてもよい。防湿膜１５と光学機能膜１６との間の防湿膜１５ｂは、防湿性を有していることが好ましいが、プラスチックフィルム等、特に機能を有さない膜であってもよい。なお、光学機能膜１６ｂに代えて保護膜としてもよい。
【００３８】
上記表示装置１，１Ａは、例えば次の適用例１〜６に示した電子機器に搭載することができる。
【００３９】
＜適用例１＞
図８は、電子ブックの外観を表したものである。この電子ブックは、例えば、表示部２１０および非表示部２２０を有しており、表示部２２０が表示装置１，１Ａにより構成されたものである。
【００４０】
＜適用例２＞
図９は、テレビジョン装置の外観を表したものである。このテレビジョン装置は、例えば、フロントパネル３１０およびフィルターガラス３２０を含む映像表示画面部３００を有しており、映像表示画面部３００が表示装置１，１Ａにより構成されたものである。
【００４１】
＜適用例３＞
図１０は、デジタルスチルカメラの外観を表したものである。このデジタルスチルカメラは、例えば、フラッシュ用の発光部４１０、表示部４２０、メニュースイッチ４３０およびシャッターボタン４４０を有しており、表示部４２０が表示装置１，１Ａにより構成されたものである。
【００４２】
＜適用例４＞
図１１は、ノート型パーソナルコンピュータの外観を表したものである。このノート型パーソナルコンピュータは、例えば、本体５１０，文字等の入力操作のためのキーボード５２０および画像を表示する表示部５３０を有しており、表示部５３０が表示装置１，１Ａにより構成されたものである。
【００４３】
＜適用例５＞
図１２は、ビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、表示部６４０が表示装置１，１Ａにより構成されたものである。
【００４４】
＜適用例６＞
図１３は、携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有しており、ディスプレイ７４０およびサブディスプレイ７５０の少なくとも一方が表示装置１，１Ａにより構成されたものである。
【００４５】
以上、本技術の実施の形態および変形例を挙げて本技術を説明したが、本技術は上記実施の形態等に限定されるものではなく、種々変形が可能である。例えば、上記実施の形態等では、表示体１３２が有機層により構成されている場合について説明したが、表示体１３２は発光層を含む無機層、液晶層あるいは電気泳動型の表示体であってもよい。即ち、表示装置１，１Ａは無機ＥＬ表示装置、液晶表示装置あるいは電気泳動方式の表示装置であってもよい。
【００４６】
また、上記実施の形態等において説明した各層の材料および厚み、または成膜方法および成膜条件等は限定されるものではなく、他の材料および厚みとしてもよく、または他の成膜方法および成膜条件としてもよい。
【００４７】
更に、上記実施の形態等では、表示装置１，１Ａの構成を具体的に挙げて説明したが、全ての層を備える必要はなく、また、他の層を更に備えていてもよい。
【００４８】
なお、本技術は以下のような構成をとることも可能である。
（１）表示層と、前記表示層の表示面に対向配置された表面膜と、前記表示層と前記表面膜との間に介在し、かつ前記表示層および前記表面膜の各端面からの張出部を有する防湿膜とを備えた表示装置。
（２）前記表示層、前記防湿膜および前記表面膜の各端面を覆う封止部を有し、前記封止部は前記張出部の上下および端面を覆っている前記（１）に記載の表示装置。
（３）前記表面膜は、反射防止機能、防眩機能または外力に対する保護機能を有する前記（１）または（２）に記載の表示装置。
（４）前記防湿膜の透湿度は、０．０３ｇ／ｍ2／日以下である前記（１）乃至（３）のうちいずれか１つに記載の表示装置。
（５）前記表示層は、発光層を含む有機層、発光層を含む無機層、液晶層および電気泳動型の表示体のうちのいずれか１つを含む前記（１）乃至（４）のうちいずれか１つに記載の表示装置。
（６）前記表面膜の端面は前記表示層の端面と上下同一の位置、または前記表示層の端面よりも外側の位置である前記（１）乃至（５）のうちいずれか１つに記載の表示装置。
（７）前記防湿膜と前記表面膜との間に、更に他の表面膜および防湿膜を交互に少なくとも１組備える前記（１）乃至（６）のうちいずれか１つに記載の表示装置。
（８）表示装置を備え、前記表示装置は、表示層と、前記表示層の表示面に対向配置された表面膜と、前記表示層と前記表面膜との間に介在し、かつ前記表示層および前記表面膜の各端面からの張出部を有する防湿膜とを備えた電子機器。
【符号の説明】
【００４９】
１，１Ａ・・・表示装置、１０・・・基板、１１・・・バリア層、１２・・・ＴＦＴ層、１３・・・表示層、１４・・・透明基板、１５，１５ｂ・・・防湿膜、１５Ａ・・・張り出し領域、１６，１６ｂ・・・光学機能膜、１７・・・封止部。
【図１】
2013161023.tif 000003
【図２】
2013161023.tif 000004
【図３】
2013161023.tif 000005
【図４】
2013161023.tif 000006
【図５】
2013161023.tif 000007
【図６】
2013161023.tif 000008
【図７】
2013161023.tif 000009
【図８】
2013161023.tif 000010
【図９】
2013161023.tif 000011
【図１０】
2013161023.tif 000012
【図１１】
2013161023.tif 000013
【図１２】
2013161023.tif 000014
【図１３】
2013161023.tif 000015